(57)【要約】【課題】本発明は、表面と裏面の２種類の装飾の閲覧に供することができる装飾パネルの提供を課題とする【解決手段】発泡合成樹脂材料からなる基本シート材２１と、基本シート材２１の表面に展着される薄肉板状の合成樹脂材料からなる表面シート材２２と、基本シート材２１の裏面に展着される薄肉板状の合成樹脂材料からなる裏面シート２３とから構成されるパネル本体２を有する。パネル本体２における表面シート２２および裏面シート２３の両面に装飾が印刷されている。【選択図】図１
2010194738.tif 000002
【特許請求の範囲】
【請求項１】
発泡合成樹脂材料からなる基本シート材と、該基本シート材の表面に展着される薄肉板状の合成樹脂材料からなる表面シート材と、前記基本シート材の裏面に展着される薄肉板状の合成樹脂材料からなる裏面シートとから構成されるパネル本体を有し、該パネル本体における前記表面シートおよび裏面シートの両面に装飾が印刷されていること特徴とする装飾パネル。
【請求項２】
装飾パネルに立掛具が設けられた置物であって、
立掛具は、平面視コ字状に形成され、一端部を装飾パネルの右側部に回動可能に連結され、かつ他端部を装飾パネルの左側部に回動可能に連結され、
設置時には該立掛具が装飾パネルの後側で傾斜しながら支承するとともに、立掛用具内において装飾パネルが表裏に反転し得ることを特徴とする置物。
【発明の詳細な説明】
【技術分野】
【０００１】
本発明は、室内の壁掛けや置物などの室内アートに適用される装飾パネルに関するものである。
【背景技術】
【０００２】
従来、室内アートとしてジグソーパズルを飾ることが知られている（特許文献１参照）。このジグソーパズルは、一般に基板上に複数のパズル片を互いに組み合わせながら嵌め込んでいくものである。このジグソーパズルを室内アートの壁掛けや置物として略垂直状態に立て掛ける場合、パズル片を基板上に嵌め込んだだけの状態であるとパズル片が基板上から抜け落ちてしまう。このためパズル片の抜け落ちを防止するため、完成したジグソーパズルの表面から糊剤を塗布するなどして基板上に固定したり、あるいは透明のアクリル板などで表面を押さえつけた状態でフレームに収容していた。
【０００３】
また、基板上に少数の嵌め込み片を単に嵌め込むことにより子供でも簡単に完成できる知育玩具が知られている（特許文献２、３参照）。
【先行技術文献】
【特許文献】
【０００４】
【特許文献１】特開２００６−２１７９９９号公報
【特許文献２】特開２００６−１３６４５４号公報
【特許文献３】実開平０２−１３５９７号公報
【発明の概要】
【発明が解決しようとする課題】
【０００５】
しかしながら、上述のジグソーパズルおよび嵌め込み玩具のいずれにおいても、一般に装飾が印刷されているのは表面のみであって、一種類の装飾しか閲覧することができないという問題もあった。
【０００６】
本発明は、上述の問題に鑑みてなされたものであって、表面と裏面の２種類の装飾の閲覧に供することができる装飾パネルの提供を課題とする。
【課題を解決するための手段】
【０００７】
本発明に係る装飾パネルは、上記課題を解決するために、発泡合成樹脂材料からなる基本シート材と、該基本シート材の表面に展着される薄肉板状の合成樹脂材料からなる表面シート材と、前記基本シート材の裏面に展着される薄肉板状の合成樹脂材料からなる裏面シートとから構成されるパネル本体を有し、該パネル本体における前記表面シートおよび裏面シートの両面に装飾が印刷されていることを特徴とする。
【０００８】
これによればパネル本体の表裏面に装飾が印刷されることになるため、適宜、装飾パネルを表裏に反転することにより閲覧に供する装飾を変更することができる。
【０００９】
また、本発明に係る置物は、装飾パネルに立掛具が設けられた置物であって、立掛具は、平面視コ字状に形成され、一端部を装飾パネルの右側部に回動可能に連結され、かつ他端部を装飾パネルの左側部に回動可能に連結され、設置時には該立掛具が装飾パネルの後側で傾斜しながら支承するとともに、立掛用具内において装飾パネルが表裏に反転し得ることを特徴とする。
【００１０】
これによればパネル本体に嵌め込み片を嵌め込んだあと、立掛具を装飾パネルの後側で傾斜しながら支承することにより置物として簡単に設置することができる。また、必要に応じて立掛具内において装飾パネルを反転すれば、閲覧に供する装飾を簡単に変更することができる。
【発明の効果】
【００１１】
本発明によれば、これによればパネル本体の表裏面に装飾が印刷されることになるため、適宜、装飾パネルを表裏に反転することにより閲覧に供する装飾を変更することができる。
【００１２】
しかも、発泡合成樹脂材料として発泡ポリスチレンを使用した場合、発泡ポリスチレンは軽量であるため、運搬や取り扱いが容易となり、展示等の作業や高い所への取り付けも簡単に行うことができる。
【図面の簡単な説明】
【００１３】
【図１】本発明の一実施形態に係る装飾パネルの正面図である。
【図２】装飾パネルの背面図である。
【図３】装飾パネルの側面図である。
【図４】装飾パネルの拡大断面図である。
【図５】装飾パネルを利用した置物の斜視図である。
【発明を実施するための形態】
【００１４】
次に本発明の一実施形態に係る装飾パネルについて図面を参照しつつ説明する。
【００１５】
本装飾パネル（１）は、主に平板状のパネル本体（２）からなり、該パネル本体（２）の周縁部にアルミニウム製のフレーム材（３）が設けられている。
【００１６】
前記パネル本体（２）は、長さ３００ｍｍ、幅２１０ｍｍ、厚さ３ｍｍ程の平板状の発泡合成樹脂材料からなる基本シート材（２１）を備える。この発泡合成樹脂材料は一般に加工もし易く、また軽量であるというメリットを有するほか、弾性力や摩擦力にも優れている材料である。
【００１７】
この発泡合成樹脂材料の種類については特に限定されるものではないが、特に発泡ポリスチレンが好ましい。発泡ポリスチレンは軽量であるため、運搬や取り扱いが容易となり、展示等の作業や高い所への取り付けも簡単に行うことができる。
【００１８】
また、前記基本シート材（２１）の表面には薄肉板状の合成樹脂材料からなる表面シート材（２２）が展着されるとともに、前記基本シート材（２１）の裏面にも同じく薄肉板状の合成樹脂材料からなる裏面シート材（２３）が展着されている。
【００１９】
これら表面シート材（２２）および裏面シート材（２３）は、いずれもパネル本体（２）と同大同形に形成されており、全面に亘って糊剤が塗布されてることによりパネル本体（２）に展着されている。
【００２０】
この合成樹脂材料の種類については特に限定されるものではないが、ある程度の剛性を有するもの、例えばポリプロピレンであるのが好ましい。
【００２１】
また、表面シート材（２２）および裏面シート材（２３）には絵画、写真、キャラクターなどの装飾が印刷されている。
【００２２】
これによればパネル本体（２）の表裏面に装飾が印刷されることになるため、適宜、装飾パネル（１）を表裏に反転することにより閲覧に供する装飾を変更することができる。
【００２３】
なお、（３１）はフレーム材（３）の両側に設けられた連結部材であり、該連結部材（３１）に紐や立掛具などが掛けられることにより壁掛けや置物などの室内アートに適用することができる。
【００２４】
図５は、本装飾パネル（１）を置物に適用した状態を示す斜視図である。
【００２５】
この置物は本装飾パネル（１）に立掛具（５）が設けられたものである。この立掛具（５）は、平面視コ字状に形成され、一端部をフレーム材（３）の右側の連結部材（３１）に回動可能に連結され、かつ他端部をフレーム（３）の左側の連結部材（３１）に回動可能に連結されている。
【００２６】
これによれば立掛具（５）が装飾パネル（１）の後側で傾斜しながら支承することにより置物として簡単に設置することができる。また、必要に応じて立掛具（５）内において装飾パネル（１）を反転すれば、閲覧に供する装飾を簡単に変更することができる。
【符号の説明】
【００２７】
１・・・装飾パネル
２・・・パネル本体
２１・・・基本シート材
２２・・・表面シート材
２３・・・裏面シート材
３・・・フレーム材
３１・・・連結部材
５・・・立掛具
【図１】
2010194738.tif 000003
【図２】
2010194738.tif 000004
【図３】
2010194738.tif 000005
【図４】
2010194738.tif 000006
【図５】
2010194738.tif 000007